(57)【要約】【課題】  印刷システムの演色が変更されているかどうか評価する。【解決手段】  演色制御システムは、入力文書の入力色空間表現をグラフィック表現として受け取る文書入力システムと、前記入力色空間表現が、文書プロセスに従って、入力文書の出力色空間表現をグラフィック表現として生成するように処理される文書受け取り装置に、入力文書の色空間表現をグラフィック表現として送る文書出力システムと、比較パッチセットのグループを備えた演色ストリップシステムとを含んでいる。各セットが異なる色と関連付けられ、セット内の各比較パッチが異なる表現と関連付けられた前記異なる表現が、前記セットと関連付けられている前記色の異なる色空間表現または異なるグラフィック表現または異なる色空間と異なるグラフィック両方の表現である。【選択図】図１
2008109659.tif 000002
【特許請求の範囲】
【請求項１】
演色制御システムであって、
入力文書の１つ以上の入力色空間表現を１つ以上のグラフィック表現として受け取るように構成された文書入力システムと、
前記文書入力システムに動作可能に接続された文書出力システムであり、前記入力文書の前記入力色空間表現が、１つ以上の文書プロセスに従って、入力文書の１つ以上の出力色空間表現を１つ以上のグラフィック表現として生成するように処理される文書受け取り装置に、入力文書の１つ以上の色空間表現を１つ以上のグラフィック表現として送るように構成された前記文書出力システムと、
１つ以上の比較パッチセットのグループを備える演色ストリップシステムであり、各セットが異なる色と関連付けられ、セット内の各比較パッチが異なる表現と関連付けられ、前記異なる表現が、前記セットと関連付けられている前記色の異なる色空間表現または異なるグラフィック表現または異なる色空間と異なるグラフィック両方の表現である前記演色ストリップシステムと
を備える演色制御システム。
【請求項２】
前記演色ストリップ生成システムが、前記基準ストリップデータセットと関連付けられたストリップデータを生成するように構成されている基準ストリップデータをさらに備える、請求項１に記載の演色システム。
【請求項３】
前記基準ストリップデータセットが、
１つ以上の所定の色と関連付けられた、前記１つ以上の所定の色の第１の表現を提供するマスタストリップデータセットを生成すること、
前記マスタストリップデータセットと関連付けられた、前記１つ以上の所定の色の第２の表現に変換された前記マスタストリップデータセットを表す出力装置特有の色変換データセットを生成すること、および
前記文書プロセスを使って、前記１つ以上の所定の色の、第２の色空間におけるほぼ等価の表現を生成する、前記１つ以上の所定の色の第３の表現を決定すること
を備える方法によって生成される、請求項２に記載の演色システム。
【請求項４】
印刷制御装置の演色が変更されているかどうか判定する方法であって、
１つ以上の比較パッチセットのグループを印刷することであり、各比較パッチセットが異なる色を表し、セット内の各比較パッチが、前記セットと関連付けられた前記色の異なる表現を表すこと、
前記１つ以上のセット内の前記比較パッチの色が実質的にマッチするかどうか判定すること、および
前記１つ以上のセット内の前記比較パッチの１つ以上の色が実質的にマッチする場合に、前記印刷制御装置が変更されていないと判定し、あるいは、前記１つ以上のセット内の前記比較パッチの色が実質的にマッチしない場合に、前記印刷制御装置が変更されていると判定すること
を備える方法。
【発明の詳細な説明】
【技術分野】
【０００１】
本発明は演色制御システムおよび印刷制御装置の演色変更を判定する方法に関する。
【背景技術】
【０００２】
カラー印刷システムが、様々な用途に幅広く使用されている。例えば、カラー印刷システムは、オフィス環境、印刷所などで使用されている。
【０００３】
カラー印刷システムのライフサイクル全体を通じて、印刷システムに変更が加えられる。これらの変更は、開発段階、設置段階において、かつ／またはカラー印刷システムが顧客に渡された後で行われ得る。
【発明の開示】
【発明が解決しようとする課題】
【０００４】
印刷システムに変更が加えられる際には、ある時点から次の時点まで一貫性のある演色を維持するのが困難になり得る。一貫性のある演色を維持することは、カラー印刷システムが顧客に渡された後では、特に重要であり、システムの色変更は、最小限に抑えられる必要がある。
【０００５】
特に難しい状況は、印刷エンジンまたはそれに関連付けられたＤＦＥ（デジタルフロントエンド）上で大幅な変更が行われたときである。システムが、元の印刷システムに対して、異なるプロファイルセットまたは異なるシステム設定を使って必要な色変換を行うことはしばしば見られる。この状況は、特に、複数の制御と、「知覚的」レンダリングインテント、「相対的色域」インテント、「彩度」レンダリングインテントなど、何らかの好ましいレンダリング方法を反映するレンダリングインテントプロセスを有するシステムでは、一般的である。このようなレンダリングインテントは、しばしば、満足のいく印刷画像が得られるまで、プロファイルを編集し、またはＬＵＴ（ルックアップ表）生成プログラムのパラメータを変更することによって制御される。また、グレー成分置換（ＧＣＲ）や、下色除去（ＵＣＲ）などの別のレンダリングパラメータも、システム挙動変更の原因となり得る。
【０００６】
色差を定量化する１つの方法が、特定の色の印刷パッチに関する測定を行うことによるものである。測定値は、カラー印刷システムの演色が、測定値の基準測定セットに対して変化しているか否かを示すことになる。しかしながら、印刷パッチの測定を行っても、演色が変化している場合には、何が変更されているかを最終的に確定することにはならない。例えば、演色の変化は、印刷エンジンドリフト、ＤＦＥ変更および／またはその他のシステム変動の結果であり得る。さらに、計測を利用して印刷パッチの演色性を測定するプロセスは、時間を要し、厄介なものともなり得る。
【課題を解決するための手段】
【０００７】
本発明は、カラー印刷システムの演色が変更されているかどうか評価するシステムおよび方法を提供する。加えて、本開示は、任意の演色変化が、ＤＦＥ、印刷エンジン、ワークフローなどに起因するものであるかどうか判定するシステムおよび方法も提供する。
【０００８】
本発明の一態様によれば、演色システムが開示される。演色システムは、入力文書の１つ以上の入力色空間表現を１つ以上のグラフィック表現として受け取るように構成された文書入力システムと、文書入力システムに動作可能に接続された文書入力システムであり、入力文書の入力色空間表現が、１つ以上の文書プロセスに従って、入力文書の１つ以上の出力色空間表現を生成するように処理される文書受け取り装置に、入力文書の１つ以上の色空間表現を１つ以上のグラフィック表現として送るように構成された文書出力システムと、１つ以上の比較パッチセットのグループを備える演色ストリップシステムであり、各セットが異なる色と関連付けられ、セット内の各比較パッチが、そのセットと関連付けられている色の異なる色空間表現と関連付けられている演色ストリップシステムとを備える。異なるグループは、比較パッチセットの、画像、輪郭、テキスト表現などの異なる種類のグラフィック表現を表す。本開示の別の態様では、グループの１つが、セット内などに１つ以上の色空間を有するのみならず、１つのセット内に混在するグラフィック表現のセットを有し得る。
【０００９】
本発明の別の態様によれば、印刷制御装置の演色が変更されているかどうか判定する演色方法が開示される。印刷制御装置の演色が変更されているかどうか判定する方法は、１つ以上の比較パッチセットの１つ以上のグループを印刷することであり、各比較パッチセットが異なる色を表し、セット内の各比較パッチが、異なる色空間および／またはそのセットと関連付けられた色の異なるグラフィック表現を表すこと、１つ以上のセット内の比較パッチの色が実質的にマッチするかどうか判定すること、および１つ以上のセット内の比較パッチの色が実質的にマッチする場合に、印刷制御装置が変更されていないと判定し、あるいは、１つ以上のセット内の比較パッチの色が実質的にマッチしない場合に、印刷制御装置が変更されていると判定することを備える。本開示の一態様では、１グループ内の各セットは、画像、輪郭またはテキストなど、同じ種類のグラフィック表現のすべてであり、異なるグループは異なるグラフィック表現を表す。別の態様では、１グループ内にグラフィック表現が混在し、１セット内で、各パッチが、１つ以上の色空間を使って表現される。
【００１０】
本発明の別の態様によれば、演色システムが開示される。演色システムは、１つ以上の比較パッチセットの１つ以上のグループを生成するように構成された演色制御ストリップ生成システムであり、各セットが異なる色と関連付けられ、各セット内の各比較パッチが、そのセットと関連付けられている色の異なる色空間表現と関連付けられ、１つ以上の比較パッチセットのグループが、基準ストリップデータファイルから生成される演色制御ストリップ生成システムを備える。色パッチセットの、画像、輪郭、テキストなどの異なるグラフィック表現を表す異なるパッチグループを生成することもでき、あるいは代替として、１つのグループが、色パッチセットの異なるグラフィック表現を備え、１つ以上の色空間を使用してもよい。
【００１１】
本発明の別の態様によれば、演色装置が開示される。演色装置は、１つ以上の基準処理パラメータのセットと関連付けられた１つ以上の制御パターンのセットを備え、処理パラメータを用いて上記制御パターンを処理し、上記処理済みの制御パターンを追加処理し、かつ／または、演色装置が、上記基準処理パラメータと関連付けられた仕様内で動作しているかどうか判定する目的で、印刷し、比較するために出力するように構成されている。
【００１２】
本発明では、以下の表現および用語を以下のように定義する。
【００１３】
印刷プロセスとは、ハードコピー出力を生成する任意の手段、手順または装置を指す。
【００１４】
レンダリングプロセス、文書プロセス、およびデータプロセスとは、文書表現をレンダリングする方法またはプロセスを指し、例えば、文書表現は、印刷プロセスまたは表示装置を使ってより容易に印刷され、または表示され得る電子ファイル形式を取り得る。代替として、これらの表現は、電子ファイルを印刷し、または表示する物理プロセスを指すこともできる。
【００１５】
色変換プロセス（ｃｏｌｏｒ  ｃｏｎｖｅｒｓｉｏｎ  ｐｒｏｃｅｓｓ  ａｎｄ  ｃｏｌｏｒ  ｔｒａｎｓｆｏｒｍａｔｉｏｎ  ｐｒｏｃｅｓｓ）とは、ある色空間表現を別の色空間表現に変換するプロセスおよび手順を指す。
【００１６】
システム設定、レンダリングパラメータ、レンダリングインテント、レンダリングインテントプロセス、制御、処理オプション、処理パラメータ、および処理制御とは、電子ファイル形式から開始する最終の印刷または表示出力に影響を及ぼすワークフローシステムまたは印刷システムのすべての可能なパラメータを指す。場合によっては、「ワークフロー」という用語は、システム設定の集合体を示すのにも使用され得る。ワークフローシステムとは、レンダリングを円滑に行わせるための、これらの設定の指定と、電子ファイルに対する必要な操作の実行を可能にするシステムである。また、ＤＦＥ（デジタルフロントエンド）も、ワークフローシステムと同様の制御を有する。場合によっては、ワークフローシステムは、ＤＦＥを含むとみなされることもあり、特定のＤＦＥを含まないこともある。場合によっては、これらの用語は、ＤＦＥまたはＤＦＥと印刷機に関するものとすることもできる。ＤＦＥは、通常、レンダリングプロセスの多くを実行する機能を有し、通常は、印刷機も駆動する。また、場合によっては、ワークフローシステムは、印刷装置を駆動することもできる。
【００１７】
色変換設定、色変換パラメータとは、１つまたは複数の色空間から１つまたは複数のへの変換に影響を及ぼすシステム設定である。
【００１８】
色空間表現とは、異なるグラフィックオブジェクトの色を定義するのに使用される色空間である。
【００１９】
グラフィック表現とは、普通、（異なる解像度、ビット深度、および、おそらく、異なる色空間定義を有する）画像様の形式、スムーズシェードを含むベクトル様の形式、テキスト様の形式などの特定の種類のオブジェクトを指す。
【発明の効果】
【００２０】
印刷システムの演色が変更されているかどうか評価するシステムおよび方法が提供される。演色の差異を判定するために、このシステムおよび方法は、印刷システムの演色の変化が生じていないときに、実質的にうまくマッチする目視比較パッチセットを印刷する。印刷システムに、印刷システムの演色に影響を及ぼす変化が生じているとき、比較パッチは、影響を受けた色について実質的にマッチしない。
【発明を実施するための最良の形態】
【００２１】
図１を参照すると、本開示の例示的実施形態による演色システムが示されている。演色システム１０は、ワークフロー生成モジュール１２と、ワークフロー／プリンタ制御モジュール１４と、印刷装置１６と、ストリップパッチを含む媒体出力モジュール１８と、基準ストリップデータモジュール２０と、演色ストリップ生成モジュール２２とを備える。
【００２２】
ワークフロー生成モジュール１２は、元は、コンピュータプログラム、スキャナ、手動インターフェースなどの１つ以上のソースから生成されるプリンタワークフローを提供する。ワークフロー生成部１２は、印刷されるべき文書を表すデータファイル、すなわち、固有のアプリケーションファイルとして、あるいははＰＤＬ（ページ記述言語）ファイル、ＰＤＦ（ポータブルドキュメントフォーマット）またはその他の文書レイアウト言語として書式設定されたデータファイルを出力する。本開示全体を通して、ワークフロー生成部１２の出力をＰＤＬファイルとして参照するが、本開示は、ＰＤＬ形式のワークフローだけに限定されるものではない。前述のように、本開示は、他の文書レイアウト言語と関連付けられるワークフロー生成部１２出力にも適用できる。ワークフロー生成モジュール１２からのＰＤＬ出力またはその他の文書レイアウト言語出力は、ワークフロー／プリンタ制御モジュール１４によってさらに処理される。
【００２３】
ワークフロー／プリンタ制御モジュール１４は、ＤＦＥ（デジタルフロントエンド）型の装置またはＤＦＥのワークフローモジュール上流を表す。典型的なワークフローモジュールは、あるジョブと関連付けられた入力ＰＤＬファイルを処理し、印刷されるのにより適した変更ＰＤＬファイルを生成する。ＤＦＥ／プリンタ制御モジュールの主要な機能は、入力されるＰＤＬまたはその他の文書レイアウトプログラミング言語からの１つ以上の画素ファイルの生成である。場合によっては、ワークフローモジュールとＤＦＥモジュールを組み合わせて１つのプラットフォームにすることもあり、これらの２つのモジュールが、異なるプラットフォーム上にあることもある。本開示の一態様では、ワークフローモジュールは、１つ以上の印刷対応画素ファイルを生成し、本開示の別の態様では、ワークフローモジュールは、１つ以上の変更ＰＤＬファイルを生成する。本開示では、ワークフロー／プリンタ制御モジュール１４によって生成されるファイルを、ワークフロー出力ファイルと呼ぶ。これらの出力ファイルが異なる形式と種類のものであり得ることが、当業者には明らかである。１つ以上のワークフロー出力ファイルは、適切な媒体１８の文書を生成する印刷装置１６によってさらに処理される。このような媒体は、印刷媒体または表示媒体とすることができる。ワークフロー生成モジュール１２の出力から１つ以上のワークフロー出力データファイルを生成することに加えて、ワークフロー／プリンタ制御モジュール１４は、１つ以上の色空間変換を使って入力ＰＤＬデータファイルを処理し、印刷または表示のためのワークフロー出力ファイルを生成する。一般に、色空間変換は、文書内のデータグループを、各グループに関連付けられた特定の属性に従って選択的に処理することによって、印刷／表示装置１６の印刷出力をより適切に制御するのに利用される。例えば、ＲＧＢ→ＣＭＹＫ、ＣＩＥ  ＸＹＺ／Ｌａｂ→ＣＭＹＫ、ＳＰＯＴ→ＣＭＹＫ、およびＣＭＹＫ→ＣＭＹＫは、ＤＦＥが印刷用にＰＤＬファイルを処理するのに一般に使用される色変換である。ＣＭＹＫ→ＲＧＢ、Ｓｐｏｔ→ＲＧＢ、ＣＩＥ／ＸＹＺ／Ｌａｂ→ＲＧＢは、通常、表示装置によって使用される。最後に、ワークフロー／プリンタ制御モジュール１４は、適切な印刷または表示装置１６と適合する１つ以上のワークフロー出力ファイルを生成し、それらのファイルを特定の色変換設定のセットに従って処理する。色変換プロセスは、元の文書ファイルと、印刷装置またはディスプレイ１６によって生成される出力の間の色と色定義の差異に関連する顧客設定を明らかにする。
【００２４】
ワークフロー／プリンタ制御モジュール１４に変更が加えられているかどうか判定するために、演色ストリップ生成モジュール２２が設けられる。演色ストリップ生成モジュール２２は、基準ストリップデータ２０を処理して、ワークフロー／プリンタ制御モジュール１４に演色ストリップデータファイルを提供し、続いて、ワークフロー／プリンタ制御モジュール１４が、演色ストリップデータファイルを処理して、演色ストリップデータファイルを印刷または表示装置１６に出力し、印刷または表示装置１６が、印刷文書１８ありまたはなしで、演色ストリップパッチを印刷し、または表示する。
【００２５】
図２を参照すると、本開示の例示的実施形態による色変換プロセス３０の概略図が示されている。色変換プロセスは、文書のＣＭＹＫ色空間表現３２、文書のＲＧＢ色空間表現３４、文書のＣＩＥ  ＸＹＺ／Ｌａｂ色空間表現３６、文書のＳＰＯＴ色空間表現３８、ワークフローパッケージまたはコントローラ４０、および印刷エンジン４４を備える。本開示の別の実施形態では、モジュール４４は、電子ディスプレイを表し、本開示のさらに別の実施形態では、プロジェクタを表す。
【００２６】
表示され、または印刷されるべき文書の各色空間表現は、各色空間表現と関連付けられたデータプロセスに従い、ワークフローパッケージまたはコントローラ４０によって独立に処理される。ワークフローパッケージまたはコントローラ４０による色空間処理は、特定の顧客要件のためにカスタマイズされてもよい。印刷されるべき文書の１つ以上の色空間表現の処理に続いて、ワークフローパッケージまたはコントローラ４０は、処理済みの色空間データ表現を、印刷４４のために印刷装置特有のＣＭＹＫ色空間に変換する。本開示の代替の実施形態では、ワークフローパッケージ４０は、処理済みの色空間データ表現を、ディスプレイ特有のＲＧＢ色空間に変換する。
【００２７】
図３を参照すると、本開示の例示的実施形態による、簡略化したＲＩＰ（ラスタ画像プロセッサ）／ワークフローハードウェア構成要素５０のブロック図が示されている。図示のように、システムは、内部主要通信データバス５２、周辺ユニット５６、論理ユニットおよびバスコントローラ５８、メモリユニット６０、入力／出力ユニット、ネットワーク５４、およびデジタル印刷機６４を含み得る。
【００２８】
図４を参照すると、本開示の例示的実施形態による演色ストリップ生成システムおよび方法７０のブロック図が示されている。
【００２９】
印刷システムの演色ストリップ８６を生成するために、演色ストリップ生成システム７０により、初期のマスタ制御ストリップデータセット７２が獲得される。マスタ制御ストリップデータセットは、任意の色空間、例えば、ＣＭＹＫ、ＲＧＢ、ＣＩＥ  ＸＹＺまたは他の任意の色空間などにあり得る。本開示の説明では、マスタ制御ストリップデータを、マスタＣＭＹＫ制御ストリップデータと呼ぶ。マスタ制御ストリップデータが任意の色空間で表され得ることが、当業者には明らかなはずである。マスタＣＭＹＫ制御ストリップデータセットは、ユーザまたはシステムベンダによって重要であると決定された様々な色の基本または基準セットを表すＣＭＹＫ値を含む。マスタＣＭＹＫ制御ストリップデータセットは、後で、選択された色の他の等価の色空間表現を生成するように処理される。印刷色パッチセットのマッチングは、すべての色変換プロセスと関連付けられた正しい色変換設定が、適切に構成されている場合に達成される。
【００３０】
引き続き図４を参照して、次に、演色ストリップ生成システムおよび方法７０の詳細な動作を説明する。演色ストリップ生成の動作を、ＣＭＹＫ、ＲＧＢおよびＣＩＥ色空間印刷パッチを含む印刷パッチ８６を参照して説明する。さらに、色空間印刷パッチを生成するシステムおよび方法を、これらの色空間を参照して説明する。しかしながら、本開示、および本明細書で説明する例示的実施形態は、どんな種類のＣＭＹＫ、ＲＧＢおよびＣＩＥ色空間パッチの生成にも限定されるものではない。例えば、色空間印刷パッチには、グレー、ＣＭＹＫＲＧＢ、ＣＭＹＫＯＧ、ｓｐｏｔ色の任意の組み合わせなどが含まれ得る。
【００３１】
最初に、獲得したマスタＣＭＹＫ値が、所望の色変換設定７４を使って、印刷装置特有のＣＭＹＫ値７２に変換される。その後、所望の色変換設定を使って、同じ装置ＣＭＹＫ値を生み出すＲＧＢ値７６とＣＩＥ  Ｌａｂ値７８の決定が行われる。結果として生じるＲＧＢ値とＣＩＥ  Ｌａｂ値は、それぞれ、制御ストリップのＲＧＢ値８０とＣＩＥ  Ｌａｂ８２値として分類される。その後、制御ストリップＲＧＢ値８０、制御ストリップＣＩＥ  Ｌａｂ値８２およびマスタＣＭＹＫ制御ストリップＣＭＹＫ値７２は、混合ソース色空間制御ストリップ８６を生成するように処理される８４。混合色空間制御ストリップ生成モジュール８４は、マスタＣＭＹＫ値、マッチするＲＧＢ値およびマッチするＣＩＥ値を取り込み、図１と図２による特定のワークフローによって処理されるべきジョブと共に含まれ得る制御ストリップのグラフィック表現８６を生成する。このグラフィック表現は、画像、ベクトル、テキスト様のもの、またはこれら３つすべてとすることができる。この混合ソース色空間制御ストリップは、所望の処理オプションを使って、通常のジョブと並行して処理されるため、混合色空間制御ストリップは、普通は装置ＣＭＹＫであり、一般には、Ｐａｎｔｏｎｅ（登録商標）インクなどの特殊インクや表示用のＲＧＢを含む、任意の種類の装置色空間とすることのできる、装置色空間値に変換される。この制御パッチの印刷または表示出力は、ジョブ処理パラメータが、制御ストリップを生成するのに使用される処理パラメータに等しいときには、実質的にマッチすることになる。
【００３２】
例の演色ストリップ８６は、特定の色合いの、あるいは異なる色合いの、３つの異なる濃淡の度合い（列）を表す。各濃淡の度合いは、３つの異なる色空間において、マスタＣＭＹＫ制御ストリップパッチ出力、ＲＧＢ色空間制御ストリップパッチ出力、およびＣＩＥ色空間制御ストリップパッチ出力として表される。
【００３３】
図５を参照すると、第１の基準色ストリップ９２、第２の基準色ストリップ９４、第３の基準色ストリップ９６、第４の基準色ストリップ９８、第５の基準色ストリップ１００、第６の基準色ストリップ１０２および第７の基準色ストリップ１０４を含む演色ストリップ比較パッチのグループ９０が示されている。各基準色ストリップは、その基準色ストリップの左から右へと進む濃淡の度合いの範囲を有する異なる色を表す。各基準色ストリップ内には、３段の比較色パッチがある。各色の上段と下段のパッチは、ＣＭＹＫパッチのセットを含み、各色の中段のパッチは、ＲＧＢパッチである。この制御ストリップは、例えば、ＲＧＢ色空間が特定のＲＧＢ色空間と知覚的インテントプロセスを用いてレンダリングされ、ＣＭＹＫが「直接」設定を用いて処理される場合、あらゆるストリップの上２段がマッチするように設計され得る。制御ストリップは、例えば、さらに、ＲＧＢ色空間が特定のＲＧＢ色空間と知覚的インテントプロセスを用いてレンダリングされ、ＣＭＹＫが「枚葉給紙オフセットエミュレーション、相対的インテント」プロセスを用いてレンダリングされる場合、あらゆるストリップの下２段がマッチするようにも設計され得る。特定のワークフローへの変更を伴う、ワークフローパッケージ、ワークフローコントローラ、またはＤＦＥへのいかなる変更も、比較パッチマッチングを無効にする。このような変更は、例えば、ＲＧＢまたはＣＭＹＫのソース色空間での異なるユーザ選択や、ソース色空間を異なる方法で装置色空間に変換する、異なる出力先プロファイルのインストールなどとすることができる。さらに、このマッチングは、レンダリングされる比較パッチのＣＭＹＫ値が同一であるため、印刷エンジンドリフトを生じにくい。したがって、印刷エンジンドリフトが、比較パッチのマッチングに影響を及ぼさない。
【００３４】
演色制御ストリップは、入力プロファイル、出力プロファイル、レンダリングインテントの選択、スクリーニングオプション、紙選択、ＵＣＲ／ＧＣＲなどのすべての関連する処理オプションに特有のものである。また、演色制御ストリップは、異なる種類のグラフィックオブジェクト（テキスト、輪郭、画像）に特有のものとすることもできる。このような異なる種類のグラフィックオブジェクトの演色は、異なり得るからである。最も一般的な場合には、これらの処理オプションは組み合わせであり、演色制御ストリップは、厳密な処理オプションの組み合わせによって決まる。したがって、演色色ストリップの生成モジュールには、図４に示すように、これらの設定が提供される必要がある。あるワークフローについてこれらの異なる処理オプションの組み合わせが決定されると、この処理オプションセットの演色制御ストリップが生成され、そのワークフローに添付され得る。操作者がワークフローを変更した場合、演色制御ストリップは、対応する色パッチ間のマッチが実質的に無効になるため、この変更を示す。顧客は、同じ概念を使って、システム提供者が、あるリリースから次のリリースまで、システムの演色を変更していないことを検証することができる。当分野では、システム提供者が、製品のライフサイクルにわたって、ある一定の間隔で、異なるソフトウェアリリースを出すこと、あるいは、システム内のあるサブシステムが、製品のライフサイクルにわたって改訂されることは非常によくあることである。また、本開示の概念は、異なるシステムリリースに及ぶ色ワークフロー整合性を検証するのにも使用され得る。
【００３５】
図６を参照すると、本開示の一例示的実施形態による演色ストリップ比較パッチセットが示されている。この演色ストリップは、別々の色調段階を含む５つのニュートラルグレー列を備える。これらの列は、ＣＴ（画像）グレー１９０、ＣＴ  ＲＧＢ１９２、ＬＷ（線画またはベクトル）ＲＧＢ１９４、ＣＴ  ＣＭＹＫ１９６およびＬＷ  ＣＭＹＫ１９８である。パッチ段は、第１のグレースケールパッチ１５２、第２のグレースケールパッチ１５４、第３のグレースケールパッチ１５６、第４のグレースケールパッチ１５８、第５のグレースケールパッチ１６０、第６のグレースケールパッチ１６２、第７のグレースケールパッチ１６４、第８のグレースケールパッチ１６６、第９のグレースケールパッチ１６８、第１０のグレースケールパッチ１７０、第１１のグレースケールパッチ１７２、第１２のグレースケールパッチ１７４、第１３のグレースケールパッチ１７６、第１４のグレースケールパッチ１７８、第１５のグレースケールパッチ１８０、第１６のグレースケールパッチ１８２、第１７のグレースケールパッチ１８４、第１８のグレースケールパッチ１８６および第１９のグレースケールパッチ１８８を表す。加えて、それぞれ別々の色調段階には、そのワークフローパッケージ内のＣＩＥ、ＲＧＢ、ＣＭＹＫ  ＣＴおよびＬＷオブジェクトの特定の処理パラメータセットの色調段階の等価のＬ*値を有するＣＴ黒のみの正方形が埋め込まれている。この黒のみの正方形は、ＲＧＢおよびＣＭＹＫパッチのものとは異なる様式で処理するワークフローパッケージ、ワークフローコントローラまたはＤＦＥによる影響を受ける。ワークフローパッケージ、ワークフローコントローラまたはＤＦＥ内のＲＧＢおよびＣＭＹＫ処理が、実質的に等価の比較出力パッチを提供するように構成されているとき、黒のみの正方形は、ＲＧＢおよびＣＭＹＫ色調段階中に紛れて見た目にはほとんど分からなくなる。
【図面の簡単な説明】
【００３６】
【図１】本開示の例示的実施形態による演色システムを表す概略図である。
【図２】本開示の例示的実施形態による演色システムを表す別の概略図である。
【図３】本開示の例示的実施形態による演色システムを表す別の概略図である。
【図４】本開示の例示的実施形態による演色システムを表すブロック図である。
【図５】本開示の一実施形態による印刷パッチを示す図である。
【図６】本開示の一実施形態による印刷パッチを示す別の図である。
【符号の説明】
【００３７】
１０  演色システム
３０  色変換プロセス
５０  ＲＩＰ（ラスタ画像プロセッサ）／ワークフローハードウエア構成要素
７０  演色ストリップ生成システム
【図１】
2008109659.tif 000003
【図２】
2008109659.tif 000004
【図３】
2008109659.tif 000005
【図４】
2008109659.tif 000006
【図５】
2008109659.tif 000007
【図６】
2008109659.tif 000008